(57)【特許請求の範囲】
【請求項１】
一又は複数本の導電路の外装部材として、前記導電路に先通しすることができる直管状に形成された複数本の先付外装部材と、隣り合う前記先付外装部材同士を後付にて繋ぐ管状の後付外装部材と、を備え、
前記導電路に前記複数本の先付外装部材を所定の間隔をあけて先通しし、隣り合う該先付外装部材同士の間に前記導電路の曲げを許容する部分を形成し、該導電路の曲げを許容する部分に前記後付外装部材を設け、該後付外装部材を設けた後に所望の配索経路に沿った形状に形成し、該後付外装部材によって固定してなる
ことを特徴とするワイヤハーネス。
【請求項２】
請求項１に記載のワイヤハーネスにおいて、
前記後付外装部材を曲管状に形成する
ことを特徴とするワイヤハーネス。
【請求項３】
請求項１又は請求項２に記載のワイヤハーネスにおいて、
前記後付外装部材を、二分割構造にて形成する、又は、ヒンジを介して開閉自在な分割構造にて形成する
ことを特徴とするワイヤハーネス。
【請求項４】
請求項１又は請求項２に記載のワイヤハーネスにおいて、
前記後付外装部材を水硬化性固定部材又は光硬化性固定部材を含んで構成する
ことを特徴とするワイヤハーネス。
【請求項５】
請求項１ないし請求項４いずれか記載のワイヤハーネスにおいて、
前記先付外装部材を樹脂材の押し出しにより形成する
ことを特徴とするワイヤハーネス。
【請求項６】
一又は複数本の導電路に、該導電路を先通しすることができる直管状に形成された複数本の先付外装部材を所定の間隔をあけて先通しし、隣り合う該先付外装部材同士の間に前記導電路の曲げを許容する部分を形成する第一工程と、
隣り合う前記先付外装部材同士を後付にて繋ぐ管状の後付外装部材を前記導電路の曲げを許容する部分に設け、該後付外装部材を設けた後に所望の配索経路に沿った形状に形成し、該後付外装部材によって固定する第二工程と、を含む
ことを特徴とするワイヤハーネスの製造方法。
【請求項７】
請求項６に記載のワイヤハーネスの製造方法において、
前記第二工程をワイヤハーネス搬送後のワイヤハーネス配索作業時に行う
ことを特徴とするワイヤハーネスの製造方法。
【発明の詳細な説明】
【技術分野】
【０００１】
本発明は、一又は複数本の導電路とこれを覆う外装部材とを含むワイヤハーネス、及びワイヤハーネスの製造方法に関する。
【背景技術】
【０００２】
下記特許文献１に開示されたワイヤハーネスは、三本の高圧電線と、この三本の高圧電線を一本ずつ収容して保護するための三本の金属保護パイプとを備えて構成されている。高圧電線は、車両の前側に搭載されるモータと、車両の中間又は後側に搭載されるインバータとを接続するものとして備えられている。
【０００３】
ワイヤハーネスは、車体フレームの外側となる車体床下を通って配索されるようになっている。このため、金属保護パイプは石跳ねや水跳ねから高圧電線を保護することができるように形成されている。金属保護パイプは、石跳ねや水跳ねから高圧電線を保護し且つ高圧電線の撓みを防止する剛性を有するとともに、金属製であることから電磁シールド機能も有している。
【０００４】
ワイヤハーネスは、真っ直ぐな状態の金属保護パイプに高圧電線を挿通し、これを三本分行った後に、車体床下におけるワイヤハーネスの配索経路に沿って金属保護パイプに曲げを施すことにより製造されている。ワイヤハーネスは、ハーネスメーカーの工場で上記の如く製造された後に、自動車メーカーの組み立て工場へと搬送されて車両の所定位置に組み付けられ、これにより配索が完了するようになっている。
【先行技術文献】
【特許文献】
【０００５】
【特許文献１】特開２００４−２２４１５６号公報
【発明の概要】
【発明が解決しようとする課題】
【０００６】
ところで、上記従来技術にあっては、ワイヤハーネスの搬送の際に、金属保護パイプ同士が接触したり変形したりしてしまわないようにするため、金属保護パイプ毎、及びワイヤハーネス毎に十分なスペースを確保する必要があるという問題点を有している。また、金属保護パイプを三次元的に曲げ加工していることから、立体的なスペースを確保する必要もあるという問題点を有している。
【０００７】
上記問題点を解消するためとして、曲げ可能な管体を金属保護パイプの代替部材とすることが考えられる。しかしながら上記曲げ可能な管体を単に代替部材とするだけでは、次のような幾つかの問題点を解消することは困難である。
【０００８】
すなわち、曲げ可能であるだけの管体では、ワイヤハーネスの組み付け・配索時及び配索後において、所望の形状を保持することが困難であるという問題点を有している。また、所望の形状を保持することが困難であれば、このような管体を車両の所定位置に組み付けるにあたり例えばプロテクタを追加する必要があるが、プロテクタは配索経路に合わせて樹脂成形される部材であることから、車両毎に専用設計・専用部材になってしまうという問題点、さらには汎用性が低くコスト高になってしまうという問題点を有している。
【０００９】
プロテクタに関しては、開発段階で何度も試作金型を起こす場合があることから、設計費用、金型費用、設計時間等が掛かってしまうという問題点を有している。また、プロテクタに関しては、管体への組み付け部分が大型化することから、地面に近づき不具合が生じてしまうという問題点を有している。
【００１０】
尚、従来技術の金属保護パイプは、防食処理や塗装、さらには高圧であることを示す所定の色付け等の各種工程を行わなければならないことから、これらの面でもコスト高になってしまうという問題点を有している。
【００１１】
本発明は、上記した事情に鑑みてなされたもので、曲げ可能であるとともに所望の形状に保持することが可能な、また、プロテクタほど構造を複雑化せずにコストを抑えることも可能な、ワイヤハーネス及びワイヤハーネスの製造方法を提供することを課題とする。
【課題を解決するための手段】
【００１２】
上記課題を解決するためになされた請求項１記載の本発明のワイヤハーネスは、一又は複数本の導電路の外装部材として、前記導電路に先通しすることができる直管状に形成された複数本の先付外装部材と、隣り合う前記先付外装部材同士を後付にて繋ぐ管状の後付外装部材と、を備え、前記導電路に前記複数本の先付外装部材を所定の間隔をあけて先通しし、隣り合う該先付外装部材同士の間に前記導電路の曲げを許容する部分を形成し、該導電路の曲げを許容する部分に前記後付外装部材を設け、該後付外装部材を設けた後に所望の配索経路に沿った形状に形成し、該後付外装部材によって固定してなることを特徴とする。
【００１３】
このような特徴を有する本発明によれば、一又は複数本の導電路と、外装部材とを備えるワイヤハーネスになる。外装部材は、直管状の先付外装部材と管状の後付外装部材とを含み、先付外装部材は、導電路に対し先通しされる。後付外装部材を設ける前の状態において、隣り合う先付外装部材同士は、この間で導電路の曲げを許容する。外装部材は、隣り合う先付外装部材同士を後付外装部材にて繋ぐと、連続した管体になる。本発明によれば、先付外装部材と後付外装部材とを含み連続した管体となる外装部材により、ワイヤハーネスは所望の形状に保持される。
【００１４】
請求項２記載の本発明のワイヤハーネスは、請求項１に記載のワイヤハーネスにおいて、前記後付外装部材を曲管状に形成することを特徴とする。
【００１５】
このような特徴を有する本発明によれば、曲管状の後付外装部材にて隣り合う先付外装部材同士を繋ぐことにより、ワイヤハーネスは曲げ形状を含む所望の形状に保持される。
【００１６】
請求項２記載の本発明に関し、本発明は次のような問題点の解消にも有効である。すなわち、ベンダー機などにより金属パイプに曲げ加工を施すと、この際パイプに潰れが生じてしまうという虞があり、仮に潰れが生じた場合には、圧迫によって内部の導電路が損傷してしまうという問題点が考えられる。しかしながら、本発明によれば、後付外装部材を曲管状に形成しておくことにより、例えばベンダー機を用いての曲げ加工をする必要がなくなることから、曲げ加工による導電路の圧迫は生じなくなる。
【００１７】
この他、金属パイプの断面形状は、曲げ加工の際に潰れ難い形状（円形状）にする必要があったが、本発明はこのような問題点の解消にも有効である。すなわち、本発明は後付外装部材を曲管状に形成しておくことにより、ベンダー機を用いての曲げ加工をする必要がなくなることから、後付外装部材を角形状や楕円形状や長円形状等の任意の断面形状に形成することが可能になる。任意の断面形状に形成できれば、ワイヤハーネスの小型化や低背化を図ることが可能になる。
【００１８】
請求項３記載の本発明のワイヤハーネスは、請求項１又は請求項２に記載のワイヤハーネスにおいて、前記後付外装部材を、二分割構造にて形成する、又は、ヒンジを介して開閉自在な分割構造にて形成することを特徴とする。
【００１９】
このような特徴を有する本発明によれば、二分割構造の後付外装部材にて隣り合う先付外装部材同士を繋ぐことにより、又は、ヒンジを介して開閉自在な分割構造の後付外装部材にて隣り合う先付外装部材同士を繋ぐことにより、ワイヤハーネスは後付外装部材の形状に合わせた所望の形状に保持される。後付外装部材は、上記の二分割構造又は分割構造にすることにより、隣り合う先付外装部材同士の繋ぎ作業をし易くすることが可能になる。
【００２０】
請求項４記載の本発明のワイヤハーネスは、請求項１又は請求項２に記載のワイヤハーネスにおいて、前記後付外装部材を水硬化性固定部材又は光硬化性固定部材を含んで構成することを特徴とする。
【００２１】
このような特徴を有する本発明によれば、水硬化性固定部材又は光硬化性固定部材を含む後付外装部材にて隣り合う先付外装部材同士を繋ぐことにより、ワイヤハーネスは後付外装部材の形状に合わせた所望の形状に保持される。後付外装部材は、水硬化性固定部材又は光硬化性固定部材を硬化させることにより、隣り合う先付外装部材同士を繋ぐことが可能になる。
【００２２】
請求項５記載の本発明のワイヤハーネスは、請求項１ないし請求項４いずれか記載のワイヤハーネスにおいて、前記先付外装部材を樹脂材の押し出しにより形成することを特徴とする。
【００２３】
このような特徴を有する本発明によれば、樹脂製の先付外装部材であることから、金属製では必要になる防食処理や塗装の工程を不要にすることが可能になる。また、高圧であることを示す所定の色付けを成形時にすることが可能になる。本発明によれば、樹脂材の押し出しにより形成することから、コストをかけずに先付外装部材の形成をすることが可能になる。
【００２４】
また、上記課題を解決するためになされた請求項６記載の本発明のワイヤハーネスの製造方法は、一又は複数本の導電路に、該導電路を先通しすることができる直管状に形成された複数本の先付外装部材を所定の間隔をあけて先通しし、隣り合う該先付外装部材同士の間に前記導電路の曲げを許容する部分を形成する第一工程と、隣り合う前記先付外装部材同士を後付にて繋ぐ管状の後付外装部材を前記導電路の曲げを許容する部分に設け、該後付外装部材を設けた後に所望の配索経路に沿った形状に形成し、該後付外装部材によって固定する第二工程と、を含むことを特徴とする。
【００２５】
このような特徴を有する本発明によれば、一又は複数本の導電路と、外装部材とを備えるワイヤハーネスを製造するにあたり、第一工程及び第二工程を経る。
【００２６】
請求項７記載の本発明のワイヤハーネスの製造方法は、請求項６に記載のワイヤハーネスの製造方法において、前記第二工程をワイヤハーネス搬送後のワイヤハーネス配索作業時に行うことを特徴とする。
【００２７】
このような特徴を有する本発明によれば、例えば自動車メーカーの組み立て工場へと搬送される際に好適な形態、また、車両の所定位置に組み付けられる際に好適な形態として配慮されたワイヤハーネスの製造になる。
【発明の効果】
【００２８】
請求項１に記載された本発明によれば、直管状の先付外装部材と管状の後付外装部材とを含む外装部材を用い、後付外装部材を設ける前の状態においては、隣り合う先付外装部材同士の間で導電路を曲げ可能にすることができるとともに、後付外装部材を設けた後にはワイヤハーネスを所望の形状に保持することができるという効果を奏する。また、本発明によれば、外装部材を管体にて構成することから、プロテクタほど構造を複雑化せずに導電路を保護し、以てコストを抑えることもできるという効果を奏する。
【００２９】
請求項２に記載された本発明によれば、後付外装部材を曲管状に形成することにより、曲げ形状を含む所望の形状にてワイヤハーネスを保持することができるという効果を奏する。
【００３０】
請求項３に記載された本発明によれば、二分割構造又はヒンジを介して開閉自在な分割構造の後付外装部材により、この後付外装部材の形状に合わせた所望の形状にてワイヤハーネスを保持することができるという効果を奏する。また、本発明によれば、構造的に見ると、隣り合う先付外装部材同士の繋ぎ作業をし易くすることができるという効果を奏する。
【００３１】
請求項４に記載された本発明によれば、後付外装部材における水硬化性固定部材又は光硬化性固定部材を硬化させることにより、隣り合う先付外装部材同士を繋ぐことができるという効果を奏する。
【００３２】
請求項５に記載された本発明によれば、防食処理や塗装の工程等を不要にすることができるという効果を奏する。また、高圧であることを示す所定の色付けをし易くすることができるという効果を奏する。さらに、コストをかけずに先付外装部材を形成することができるという効果を奏する。従って、本発明によれば、コスト低減を図ることができるという効果を奏する。
【００３３】
請求項６に記載された本発明によれば、本発明に係るワイヤハーネスをより良く製造するための方法を提供することができるという効果を奏する。
【００３４】
請求項７に記載された本発明によれば、ワイヤハーネスの搬送及び組み付けに配慮した製造方法を提供することができるという効果を奏する。
【図面の簡単な説明】
【００３５】
【図１】本発明のワイヤハーネスに係る図であり、（ａ）はワイヤハーネスの配索状態を示す概略図、（ｂ）は直管状の先付外装部材を導電路に先通しした状態を示す斜視図、（ｃ）は隣り合う先付外装部材同士を後付外装部材にて繋いだ状態を示す斜視図である。
【図２】後付外装部材に係る図であり、（ａ）は二分割構造となる後付外装部材の断面図、（ｂ）はヒンジを介して開閉自在な分割構造となる後付外装部材の断面図、（ｃ）は水硬化性固定部材又は光硬化性固定部材からなる後付外装部材をテープ巻きの要領で巻き付けて繋いだ状態を示す斜視図、（ｄ）は海苔巻き状に巻き付けて繋いだ状態を示す斜視図、（ｅ）は水硬化性固定部材又は光硬化性固定部材を硬化させる際の状態を示す斜視図である。
【図３】先付外装部材及び後付外装部材の他の例に係る図であり、（ａ）は断面横長形状のものを用いた場合の斜視図、（ｂ）は筒状且つ伸縮性のある後付外装部材を用いた場合の図である。
【発明を実施するための形態】
【００３６】
ワイヤハーネスは、一又は複数本の導電路を備えるとともに、直管状の先付外装部材と管状の後付外装部材とを含む外装部材を備える。ワイヤハーネスは、後付外装部材を設ける前の状態において、隣り合う先付外装部材同士の間で導電路を曲げ可能にする。後付外装部材は、これを設けた後にワイヤハーネスを所望の形状に保持する。
【実施例】
【００３７】
以下、図面を参照しながら実施例を説明する。図１は本発明のワイヤハーネスに係る図である。また、図２は後付外装部材に係る図、図３は先付外装部材及び後付外装部材の他の例に係る図である。本実施例においては、ハイブリッド自動車（電気自動車であってもよいものとする）に本発明のワイヤハーネスを採用する例を挙げて説明するものとする。
【００３８】
図１において、引用符号１はハイブリッド自動車を示している。ハイブリッド自動車１は、エンジン２及びモータユニット３の二つの動力をミックスして駆動する車両であって、モータユニット３にはインバータユニット４を介してバッテリー５（電池パック）からの電力が供給されるようになっている。エンジン２、モータユニット３、及びインバータユニット４は、本実施例において前輪等がある位置のエンジンルーム６に搭載されている。また、バッテリー５は、後輪等がある自動車後部７に搭載されている（エンジンルーム６の後方に存在する自動車室内に搭載してもよいものとする）。
【００３９】
モータユニット３とインバータユニット４は、公知の高圧ワイヤハーネス８により接続されている。また、バッテリー５とインバータユニット４は、本発明のワイヤハーネス９により接続されている。ワイヤハーネス９は、高圧用のものとして構成されている。ワイヤハーネス９は、この中間部１０が車体床下１１の地面側に配索されている。車体床下１１は、公知のボディであるとともに所謂パネル部材であって、所定位置には貫通孔（符号省略）が貫通形成されている。
【００４０】
ワイヤハーネス９とバッテリー５は、このバッテリー５に設けられるジャンクションブロック１２を介して接続されている。ジャンクションブロック１２には、ワイヤハーネス９の後端１３がコネクタ接続されている。ワイヤハーネス９の後端１３側は、自動車室内側となる床上に配索されている。床上には、ワイヤハーネス９の前端１４側も配索されている。ワイヤハーネス９の前端１４側は、インバータユニット４にコネクタ接続されている。
【００４１】
ここで本実施例での補足説明をすると、モータユニット３はモータ及びジェネレータを構成に含んでいるものとする。また、インバータユニット４は、インバータ及びコンバータを構成に含んでいるものとする。モータユニット３は、シールドケースを含むモータアッセンブリとして形成されるものとする。また、インバータユニット４もシールドケースを含むインバータアッセンブリとして形成されるものとする。バッテリー５は、Ｎｉ−ＭＨ系やＬｉ−ｉｏｎ系のものであって、モジュール化してなるものとする。尚、例えばキャパシタのような蓄電装置を使用することも可能であるものとする。バッテリー５は、ハイブリッド自動車１や電気自動車に使用可能であれば特に限定されないものとする。
【００４２】
ワイヤハーネス９は、この中間部１０が車体床下１１に沿って略平行に配索されている。ワイヤハーネス９は、地面からの距離を稼ぐためとして中間部１０の構造を後述する図３の構造にすることができるものとする。ワイヤハーネス９は、地面からの距離を稼ぐことにより、低背化を図ることができるようになっている。
【００４３】
先ず、ワイヤハーネス９の構成及び構造について説明をする。ワイヤハーネス９は、導電路集合体１５と、この導電路集合体１５の外側に設けられる外装部材１６とを備えて構成されている。
【００４４】
導電路集合体１５は、二本の高圧電線１７と、この二本の高圧電線１７を一括してシールドする電磁シールド部材１８とを備えて構成されている。高圧電線１７は、導体及び絶縁体（被覆）を含む導電路であって、電気的な接続に必要な長さを有するように形成されている。導体は、銅や銅合金やアルミニウムやアルミニウム合金により製造されている。導体に関しては、素線を撚り合わせてなる導体構造のものや、断面矩形又は丸形となる棒状の導体構造（例えば平角単心や丸単心となる導体構造であり、この場合、電線自体も棒状となる）のもののいずれであってもよいものとする。高圧電線１７は、非シールド電線となる構成を有している。高圧電線１７の端末には、コネクタ１９が設けられている。
【００４５】
尚、本実施例においては高圧電線１７を用いているが、この限りでないものとする。すなわち、公知のバスバーに絶縁体を設けたもの等を用いてもよいものとする。
【００４６】
電磁シールド部材１８は、二本の高圧電線１７を覆う電磁シールド用の部材（電磁波対策用の部材）であって、導電性の金属箔を含むシールド部材、或いは金属箔単体などにて筒状に形成されている。電磁シールド部材１８は、二本の高圧電線１７の全長とほぼ同じ長さに形成されている。電磁シールド部材１８は、コネクタ１９を介して、又は直接インバータユニット４のシールドケース等に接続されている。
【００４７】
尚、電磁シールド部材１８は、本実施例において金属箔を含んでいるが、この限りでないものとする。すなわち、電磁波対策をすることが可能であれば、例えば極細の素線を多数有する編組を用いてもよいものとする。編組は、導電性を有して筒状に形成されるものとする。
【００４８】
電磁シールド部材１８は、高圧電線１７が上記の如く非シールド電線となる構成であることから備えられている。高圧電線１７が公知のシールド電線である場合にはこの限りでないものとする。
【００４９】
外装部材１６は、複数の先付外装部材２０（２０ａ、２０ｂ、２０ｃ…）と、隣り合う先付外装部材２０を繋ぐ複数の後付外装部材２１（２１ａ、２１ｂ…）とを含んで構成されている。
【００５０】
先付外装部材２０は、直管状となる管体であって、導電路集合体１５に対し先通しすることができるように形成されている。すなわち、導電路集合体１５は、導電路としての高圧電線１７と電磁シールド部材１８とを含んで構成されることから、これらに対し先通しすることができるように先付外装部材２０は形成されている。
【００５１】
先付外装部材２０を先通しした後、隣り合う先付外装部材２０同士は、この間となる矢印Ｃの部分で導電路集合体１５の曲げを許容することができるようになっている。先付外装部材２０は、この長さ寸法を調整することにより、所望の位置での曲げを許容することができるようになっている。
【００５２】
先付外装部材２０は、導電路集合体１５を先通しすることができる形状であればよく、多少曲がりのある管体であっても、上記「直管」の一形態に含めてよいものとする。
【００５３】
先付外装部材２０は、金属製及び樹脂製のいずれからなるものでもよく、本実施例においては樹脂材の押し出し成形により形成されている。尚、先付外装部材２０を樹脂製としたのは、押し出し成形であれば所望の長さに形成することが容易であるのは勿論のこと、金属製の場合に必要となる防食処理や塗装の工程等を不要にすることができるという理由からである。また、成形時において樹脂材料に色付けをすることで、高圧であることを示す所定の色付けを容易に行えるという理由からである。
【００５４】
後付外装部材２１は、最初から管体となる部材、又は最終的に管体となる部材であって、上記の如く隣り合う先付外装部材２０を後付により繋ぐことができるようになっている。後付外装部材２１は、直管状や曲管状など、ワイヤハーネス９の配索経路に合わせた形状に形成されている。後付外装部材２１は、これを後付して隣り合う先付外装部材２０を繋ぐと、外装部材１６を連続した管体として形成することができるようになっている。後付外装部材２１は、例えば図１（ａ）中の矢印ＡやＢで示す所定部分に設けられている。
【００５５】
後付外装部材２１の具体的な例としては、図２（ａ）に示す如くの二分割構造となる後付外装部材２１が挙げられるものとする。この例においては、半円筒形状の上側半筒部２２と、同じく半円筒形状の下側半筒部２３とを備えて構成されており、それぞれには係合部分としてのロック部２４が形成されている（ロック部２４は係止突起と係止枠部のような公知の構造を例えば採用するものとする）。
【００５６】
また、後付外装部材２１の具体的な例としては、図２（ｂ）に示す如くのヒンジを介して開閉自在な分割構造となる後付外装部材２１が挙げられるものとする。この例においては、半円筒形状の上側半筒部２５と、同じく半円筒形状の下側半筒部２６と、これらを繋ぐヒンジ２７とを備えて構成されており、上側半筒部２５及び下側半筒部２６には係合部分としてのロック部２８が形成されている（ロック部２８は係止突起と係止枠部のような公知の構造を例えば採用するものとする）。
【００５７】
また、後付外装部材２１の具体的な例としては、図２（ｃ）及び（ｄ）に示す如くの水硬化性固定部材又は光硬化性固定部材からなる後付外装部材２１が挙げられるものとする。これらの例においては、光硬化性固定部材２９（又は水硬化性固定部材）が用いられており、光硬化性固定部材２９（又は水硬化性固定部材）を硬化させると所望の形状の後付外装部材２１にすることができるようになっている。光硬化性固定部材２９（又は水硬化性固定部材）は、光や水分により硬化する部分と、この部分が一体化する基材とを含んで構成されている。
【００５８】
上記の光硬化性固定部材２９の場合、光硬化性固定部材２９は光照射面を有する硬化部と、基材とを含んで構成されている。光硬化性固定部材２９は、可視光３０や専用の照明等で硬化する部材になっている。上記硬化部は、光硬化性樹脂組成物からなり、これが上記基材に対し含浸等で保持されるようになっている。光硬化性固定部材２９は、この硬化時間が即時硬化、ゆっくり硬化などの調整可能な部材になることが好ましいものとする。光硬化性固定部材２９は、水分を嫌う作業環境下の場合等に有効であるものとする（使用環境下での水分は問題ないものとする）。
【００５９】
上記の水硬化性固定部材の場合、この水硬化性固定部材は吸水面を有する硬化部と、基材とを含んで構成されている。水硬化性固定部材は、水分３１の噴射・滴下等や、水中への浸漬等で硬化する部材になっている。上記硬化部は、水硬化性樹脂組成物からなり、これが上記基材に対し含浸等で保持されるようになっている。基材としては、ガラスウール、ガラスクロス、ポリエステルクロス、不織布などが挙げられるものとする（水硬化性固定部材に限らず光硬化性固定部材２９も同様であるものとする。尚、ガラスクロス、ポリエステルクロスはニット織りが含浸に適しており、ムラなく均一に含浸させることが可能になるという利点を有する）。また、硬化部としては、水硬化性ウレタン樹脂などが挙げられるものとする。水硬化性固定部材は、光硬化性固定部材２９と同様に硬化時間を調整することが可能になることが好ましいものとする。
【００６０】
以上のような光硬化性固定部材２９（又は水硬化性固定部材）は、巻き付けにより隣り合う先付外装部材２０を繋ぐことができるようになっている。すなわち、テープ状であれば、図２（ｃ）に示す如くテープ巻きの要領となる巻き付けにより繋ぐことができるようになっている。また、シート状であれば、図２（ｄ）に示す如くの海苔巻き状の巻き付けにより繋ぐことができるようになっている。
【００６１】
光硬化性固定部材２９（又は水硬化性固定部材）は、予め所望の厚みに形成しておくことや、所望の厚みになるまで巻き付けをすることで、後付外装部材２１の強度を確保することができるようになっている。また、強度確保により形状保持状態の維持もできるようになっている。さらに、強度確保により例えば石跳ね等に強い部分にすることもできるようになっている。
【００６２】
光硬化性固定部材２９（又は水硬化性固定部材）を硬化させて後付外装部材２１を形成するための可視光３０や専用の照明等や水分３１を供給する供給手段３２（図２（ｅ）参照）は、後付外装部材２１を後付けする位置に合わせて製造現場に設置されるものとする。上記製造現場において、後付外装部材２１を光硬化性固定部材２９（又は水硬化性固定部材）の状態から所望の形状に硬化させるにあたっては、治具や金型を用いると作業性が良好になるのは勿論である。
【００６３】
次に、上記構成及び構造に基づきながらワイヤハーネス９の製造について説明をする（図１及び図２参照）。
【００６４】
先ず、図２（ａ）、（ｂ）の後付外装部材２１を用いた場合の製造について説明をする。全長が所望の長さとなる先付外装部材２０を必要数準備し、この後に先付外装部材２０を導電路集合体１５に先通しする（挿通する）。そして、導電路集合体１５を構成する高圧電線１７の端末にコネクタ１９を設けると、搬送前のワイヤハーネス９の製造が完了する。先付外装部材２０を先通しした後、隣り合う先付外装部材２０同士は、この間となる矢印Ｃの部分で導電路集合体１５の曲げを許容することから、上記の如く製造されたワイヤハーネス９は、例えば丸めたりして搬送し易い状態にすることができる。
【００６５】
ワイヤハーネス９は、図示しない通箱等に収納されて例えば自動車メーカーの組み立て工場へと搬送されると、この後に通箱から取り出され、製造現場で取り回しし易い状態にされる。そして、隣り合う先付外装部材２０同士を二分割構造となる後付外装部材２１を用いて繋ぐと、又は、ヒンジ２７を介して開閉自在な分割構造となる後付外装部材２１を用いて繋ぐと、連続した管体となる外装部材１６が形成されてワイヤハーネス９の製造が完了する。この後、ワイヤハーネス９は車体床下１１などに組み付けられて固定がなされると、また、電気的な接続等がなされると、配索が完了する。
【００６６】
次に、図２（ｃ）〜（ｅ）の後付外装部材２１を用いた場合の製造について説明をする。全長が所望の長さとなる先付外装部材２０を必要数準備し、この後に先付外装部材２０を導電路集合体１５に先通しする（挿通する）。そして、導電路集合体１５を構成する高圧電線１７の端末にコネクタ１９を設けると、搬送前のワイヤハーネス９の製造が完了する。先付外装部材２０を先通しした後、隣り合う先付外装部材２０同士は、この間となる矢印Ｃの部分で導電路集合体１５の曲げを許容することから、上記の如く製造されたワイヤハーネス９は、例えば丸めたりして搬送し易い状態にすることができる。
【００６７】
ワイヤハーネス９は、図示しない通箱等に収納されて例えば自動車メーカーの組み立て工場へと搬送されると、この後に通箱から取り出され、製造現場で取り回しし易い状態にされる。そして、隣り合う先付外装部材２０同士を光硬化性固定部材２９（又は水硬化性固定部材）にて繋ぐとともに、光硬化性固定部材２９（又は水硬化性固定部材）を設けた部分を所望の形状にした上で可視光３０や専用の照明等や水分３１を供給すると、光硬化性固定部材２９（又は水硬化性固定部材）は硬化して連続した管体となる外装部材１６が形成され、これによりワイヤハーネス９の製造が完了する。この後、ワイヤハーネス９は車体床下１１などに組み付けられて固定がなされると、また、電気的な接続等がなされると、配索が完了する。
【００６８】
尚、搬送前に光硬化性固定部材２９（又は水硬化性固定部材）を巻き付けて隣り合う先付外装部材２０同士を繋ぐようにしてもよいものとする。なぜならば、光硬化性固定部材２９（又は水硬化性固定部材）は、これを硬化させる前であればこの部分での曲げを許容することができるからである。
【００６９】
上記実施例の説明においては、外装部材１６を円筒形状のものに形成していたが、図３に示す如く断面横長形状のものに形成してもよいものとする（長円、楕円、長方形などの断面横長形状）。図３（ａ）において、外装部材１６′は断面横長形状の複数の先付外装部材２０′（２０ａ′、２０ｂ′…）と、隣り合う先付外装部材２０′を繋ぐ複数の後付外装部材２１′（２１ａ′…）とを含んで構成されている。ここでは後付外装部材２１′は光硬化性固定部材２９′（又は水硬化性固定部材）を硬化させてなるものになっている。
【００７０】
外装部材１６′にて保護される導電路集合体１５′は、二本の高圧電線１７及び低圧電線３３と、この二本の高圧電線１７及び低圧電線３３を一括してシールドする電磁シールド部材１８′とを備えて構成されている。後付外装部材２１′となる光硬化性固定部材２９′（又は水硬化性固定部材）は、図３（ｂ）に示す如く、筒状且つ少なくとも径方向に伸縮性を有するようになっている。光硬化性固定部材２９′（又は水硬化性固定部材）は、これを径方向に拡径させ、拡径状態で挿通することにより、繋ぎに係る取り付けをすることができるようになっている。
【００７１】
この他、上記実施例の説明においては、分岐部分のないワイヤハーネス９に形成していたが、所望の位置で分岐部分を引き出しすることができるように形成してもよいものとする。そして、この引き出しの際に分岐部分の露出部等を覆い隠すように、例えば光硬化性固定部材２９（又は水硬化性固定部材）を設け、これを硬化させるようにしてもよいものとする。
【００７２】
以上、図１ないし図３を参照しながら説明してきたように、本発明によれば、直管状の先付外装部材２０と管状の後付外装部材２１とを含む外装部材１６を用い、後付外装部材２１を設ける前の状態においては、隣り合う先付外装部材２０同士の間で導電路集合体１５を曲げ可能にすることができることから、ワイヤハーネス９の搬送の際に大きなスペース等を確保したりする必要がなく、結果、搬送面での省スペース化や低コスト化を図ることができるという効果を奏する。
【００７３】
また、本発明によれば、後付外装部材２１を設けることで所望の形状にワイヤハーネス９を保持できることから、プロテクタを用いなくとも形状保持をすることができるという効果を奏する。さらに、本発明によれば、外装部材１６を先付外装部材２０及び後付外装部材２１にて構成することから、プロテクタほど構造を複雑化せずに導電路集合体１５を保護し、以てコストを抑えることもできるという効果を奏する。
【００７４】
本発明は本発明の主旨を変えない範囲で種々変更実施可能なことは勿論である。
【符号の説明】
【００７５】
１…ハイブリッド自動車
２…エンジン
３…モータユニット
４…インバータユニット
５…バッテリー
６…エンジンルーム
７…自動車後部
８…高圧ワイヤハーネス
９…ワイヤハーネス
１０…中間部
１１…車体床下
１２…ジャンクションブロック
１３…後端
１４…前端
１５…導電路集合体
１６…外装部材
１７…高圧電線（導電路）
１８…電磁シールド部材
１９…コネクタ
２０…先付外装部材
２１…後付外装部材
２２、２５…上側半筒部
２３、２６…下側半筒部
２４、２８…ロック部
２７…ヒンジ
２９…光硬化性固定部材（又は水硬化性固定部材）
３０…可視光
３１…水分
３２…供給手段
３３…低圧電線（導電路）
【図１】
0005638939.tif 000002
【図２】
0005638939.tif 000003
【図３】
0005638939.tif 000004